Podtech/llm-jp-corpus-v4-ja_patent huggingface dataset:
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
基材１、脱離層、および、絵柄層をこの順に有する印刷物を、アルカリ水溶液中に浸漬して、絵柄層を剥離させることで基材１をリサイクルする、基材リサイクル方法であって、
前記脱離層は、有機溶剤系クリアインキまたはカラーインキから形成され、
前記クリアインキまたはカラーインキは、バインダー樹脂として、酸価１５〜７０ｍｇＫＯＨ／ｇであり、分子量分布（Ｍｗ／Ｍｎ）１．２以上６以下であるポリウレタン樹脂を含有し、
前記アルカリ性水溶液の温度が、室温〜９０℃であり、
その後、水洗および、乾燥工程を含む、基材リサイクル方法。
【請求項２】
基材１、脱離層、絵柄層および基材２をこの順に有する積層体（ただし、断面に脱離層を有する）を、アルカリ水溶液中に浸漬して、絵柄層および基材２を剥離させることで基材１をリサイクルする、基材リサイクル方法であって、
前記脱離層は、有機溶剤系クリアインキまたはカラーインキから形成され、
前記クリアインキまたはカラーインキは、バインダー樹脂として、酸価１５〜７０ｍｇＫＯＨ／ｇであり、分子量分布（Ｍｗ／Ｍｎ）１．２以上６以下であるポリウレタン樹脂を含有し、
前記アルカリ性水溶液の温度が、室温〜９０℃であり、
その後、水洗および、乾燥工程を含む、基材リサイクル方法。
【請求項３】
前記ポリウレタン樹脂の重量平均分子量が、１００００〜１０００００である、請求項１または２に記載の基材リサイクル方法。
【請求項４】
前記ポリウレタン樹脂は、ポリオール由来の構造単位を含み、当該構造単位の総質量中、ポリエステルポリオール由来の構造単位を５質量％以上含む、請求項１〜３いずれかに記載の基材リサイクル方法。
【請求項５】
前記ポリウレタン樹脂は、二塩基酸と分岐構造を有するジオールからなるポリエステル由来の構造単位を含む、請求項１〜４いずれかに記載の基材リサイクル方法。
【請求項６】
前記ポリウレタン樹脂の酸価が２０〜５０ｍｇＫＯＨ／ｇである、請求項１〜５いずれかに記載の基材リサイクル方法。
【請求項７】
有機溶剤系印刷インキは、更に、セルロース系樹脂、塩化ビニル系樹脂、ロジン系樹脂、アクリル樹脂、スチレン−マレイン酸共重合樹脂からなる群より選ばれる少なくとも一種の樹脂を含有する、請求項１〜６いずれかに記載の基材リサイクル方法。
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
長尺の炭素繊維束を開繊により拡幅する開繊工程と、前記開繊工程後の前記長尺の炭素繊維束に樹脂を付着させる樹脂付着工程と、前記樹脂付着工程後の前記長尺の炭素繊維束を長さ方向に間隔を空けて分繊する分繊工程と、を有し、
前記樹脂付着工程では、（i）前記長尺の炭素繊維束に樹脂粉体を散布により付着させたうえ、前記樹脂粉体を加熱して溶融させるか、または、（ii）溶融樹脂を繊維化して前記長尺の炭素繊維束に塗布する、
間欠的に分繊された炭素繊維束の製造方法。
【請求項２】
前記樹脂付着工程では、前記長尺の炭素繊維束に樹脂粉体を散布により付着させたうえ、前記樹脂粉体を加熱して溶融させる、請求項１に記載の製造方法。
【請求項３】
前記樹脂付着工程では、更に、溶融した前記樹脂粉体が付着した前記長尺の炭素繊維束をニップロールで挟み込むことで、前記樹脂を前記長尺の炭素繊維束の内部まで浸み込ませる、請求項２に記載の製造方法。
【請求項４】
前記樹脂付着工程では、溶融樹脂を繊維化して前記長尺の炭素繊維束に塗布する、請求項１に記載の製造方法。
【請求項５】
前記樹脂付着工程では、更に、繊維化された前記溶融樹脂が塗布された前記長尺の炭素繊維束をニップロールで挟み込むことで、前記樹脂を前記長尺の炭素繊維束の内部まで浸み込ませる、請求項４に記載の製造方法。
【請求項６】
前記樹脂付着工程では、更に、前記樹脂を前記長尺の炭素繊維束の内部まで浸み込ませた後、前記樹脂を固化させるために前記長尺の炭素繊維束を冷却ロールで冷却する、請求項３または５に記載の製造方法。
【請求項７】
前記樹脂付着工程で前記長尺の炭素繊維束に付着させた前記樹脂を、再加熱することによって、前記長尺の炭素繊維束内に含浸させる工程を有する、請求項１に記載の製造方法。
【請求項８】
間欠的に分繊された炭素繊維束を連続的に裁断してチョップドストランドにすることと、マトリックス樹脂をシート状にした第１樹脂シート上に前記チョップドストランドをシート状に散布してシート状の繊維基材を形成することと、前記繊維基材上にマトリックス樹脂をシート状にした第２樹脂シートを貼り合わせて加圧し、前記繊維基材に前記マトリックス樹脂を含浸させることとを含むシートモールディングコンパウンドの製造方法であって、前記間欠的に分繊された炭素繊維束を請求項１〜７のいずれか一項に記載の製造方法により製造する、シートモールディングコンパウンドの製造方法。
【手続補正２】
【補正対象書類名】明細書
【補正対象項目名】発明の名称
【補正方法】変更
【補正の内容】
【発明の名称】炭素繊維束の製造方法およびシートモールディングコンパウンドの製造方法
【手続補正３】
【補正対象書類名】明細書
【補正対象項目名】０００１
【補正方法】変更
【補正の内容】
【０００１】
本発明は、炭素繊維束の製造方法およびシートモールディングコンパウンドの製造方法に関する。
【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
リード端子が設けられたイグナイタと、
前記イグナイタを収容する樹脂製のイグナイタ収容体と、
前記イグナイタ収容体に固定され且つ一端が前記リード端子と電気的に接続される内部端子と、を備え、
前記内部端子の他端は、前記イグナイタ収容体よりも外部へ延在する、イグナイタ組立体。
【請求項２】
前記イグナイタ組立体は、前記イグナイタ収容体に収容される電子部品を更に備える、請求項１に記載のイグナイタ組立体。
【請求項３】
前記リード端子および前記内部端子の少なくとも一方は、貫通孔を有し、
前記電子部品に設けられた接続端子は、前記貫通孔に挿入される、請求項２に記載のイグナイタ組立体。
【請求項４】
前記イグナイタ組立体は、前記イグナイタ収容体を外側から覆うシールド層を有する、請求項１乃至請求項３のうちのいずれか１つに記載のイグナイタ組立体。
【請求項５】
前記イグナイタ組立体は、前記シールド層の外側に、エラストマーカバーが設けられる、請求項４に記載のイグナイタ組立体。
【請求項６】
前記イグナイタ収容体が、開口した面を有する箱状を呈する、請求項１乃至５のいずれか１つに記載のイグナイタ組立体。
【請求項７】
請求項１乃至請求項５のうちのいずれか１つに記載のイグナイタ組立体と、樹脂製のコネクタケースとを備えるイグナイタユニットであって、
前記コネクタケースは、前記イグナイタ組立体を収容する収容部と、前記収容部と一体成形されるコネクタ部とを有する、イグナイタユニット。
【手続補正２】
【補正対象書類名】明細書
【補正対象項目名】００３７
【補正方法】変更
【補正の内容】
【００３７】
なお、図２に示される例では、各内部端子３に、１つの屈曲部が設けられている。その上で、内部端子３１は、リード端子２１と電気的に接続されている。内部端子３２は、内部端子３３，３４を跨ぐ形状に形成されており、リード端子２５と電気的に接続されている。内部端子３３は、内部端子３２の下に潜る形状に形成されており、リード端子２２と電気的に接続されている。内部端子３４は、内部端子３２の下に潜る形状に形成されており、リード端子２３と電気的に接続されている。ここで、内部端子３３，３４の屈曲部の位置は、内部端子３２に設けられた屈曲部の位置よりイグナイタ２側に設けられているため、内部端子３３，３４と、内部端子３２とは接触しない。内部端子３５は、リード端子２６と電気的に接続されている。
【手続補正書】
【提出日】令和2年12月22日(2020.12.22)
【手続補正１】
【補正対象書類名】特許請求の範囲
【補正対象項目名】請求項１
【補正方法】変更
【補正の内容】
【請求項１】
第１流体と第２流体を吸い込んで吹き出す送風機であって、
ファン軸心（ＣＬ）を中心に回転することで、前記ファン軸心の軸方向の一方側から吸い込んだ前記第１流体および前記第２流体を前記ファン軸心から遠ざかる方向に吹き出す遠心ファン（２０）と、
前記遠心ファンが内部に収容されて、前記遠心ファンに対して前記軸方向の一方側に流体吸込通路（４１）を形成するとともに、前記遠心ファンの径方向の外側に流体吹出通路（４２）を形成するケーシング（４０）と、
前記流体吸込通路を前記第１流体が流れる第１吸込通路（４１１）と前記第２流体が流れる第２吸込通路（４１２）とに仕切る入口側仕切部（５０）と、
前記流体吹出通路を前記遠心ファンから吹き出された前記第１流体が流れる第１吹出通路（４２１）と前記遠心ファンから吹き出された前記第２流体が流れる第２吹出通路（４２２）とに仕切る出口側仕切部（６０）と、を備え、
前記遠心ファンは、前記ファン軸心の周りに配置された複数のブレード（２２）、前記複数のブレードにおける前記軸方向の一方側に位置する部位同士を連結するリング状のシュラウド（２４）と、を有しており、
前記ケーシングは、前記シュラウドに対して所定の隙間をあけて対向するとともに、前記シュラウドとの間に前記流体吹出通路から前記流体吸込通路に向けて前記第１流体および前記第２流体が流れる逆流通路（４６）を形成するシュラウド対向部（４４）を含んでおり、
前記逆流通路は、前記第１吹出通路を流れる前記第１流体および前記第２吹出通路を流れる前記第２流体のうち一方の流体が、前記第１吸込通路および前記第２吸込通路のうち他方の流体が吸い込まれる吸込通路に流れることが抑制される構造であって、前記第１吸込通路および前記第２吸込通路のうち前記一方の流体が吸い込まれる吸込通路に流れる構造になっている送風機。
【手続補正２】
【補正対象書類名】明細書
【補正対象項目名】０００９
【補正方法】変更
【補正の内容】
【０００９】
請求項１に記載の発明は、
第１流体と第２流体を吸い込んで吹き出す送風機であって、
ファン軸心（ＣＬ）を中心に回転することで、ファン軸心の軸方向の一方側から吸い込んだ第１流体および第２流体をファン軸心から遠ざかる方向に吹き出す遠心ファン（２０）と、
遠心ファンが内部に収容されて、遠心ファンに対して軸方向の一方側に流体吸込通路（４１）を形成するとともに、遠心ファンの径方向の外側に流体吹出通路（４２）を形成するケーシング（４０）と、
流体吸込通路を第１流体が流れる第１吸込通路（４１１）と第２流体が流れる第２吸込通路（４１２）とに仕切る入口側仕切部（５０）と、
流体吹出通路を遠心ファンから吹き出された第１流体が流れる第１吹出通路（４２１）と遠心ファンから吹き出された第２流体が流れる第２吹出通路（４２２）とに仕切る出口側仕切部（６０）と、を備え、
遠心ファンは、ファン軸心の周りに配置された複数のブレード（２２）、複数のブレードにおける軸方向の一方側に位置する部位同士を連結するリング状のシュラウド（２４）と、を有しており、
ケーシングは、シュラウドに対して所定の隙間をあけて対向するとともに、シュラウドとの間に流体吹出通路から流体吸込通路に向けて第１流体および第２流体が流れる逆流通路（４６）を形成するシュラウド対向部（４４）を含んでおり、
逆流通路は、第１吹出通路を流れる第１流体および第２吹出通路を流れる第２流体のうち一方の流体が、第１吸込通路および第２吸込通路のうち他方の流体が吸い込まれる吸込通路に流れることが抑制される構造であって、第１吸込通路および第２吸込通路のうち一方の流体が吸い込まれる吸込通路に流れる構造になっている。
【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
構成モノマーとしてポリオキシアルキレンスチレン化プロペニルフェニルエーテルリン酸エステルおよび／またはそのアンモニウム塩（Ａ）を含有する重合体を含む水分散体。
【請求項２】
前記重合体は、構成モノマーとして更に（メタ）アクリル酸エステルおよび芳香族ビニル化合物からなる群から選択される少なくとも１種（Ｂ）を含有する、請求項１に記載の水分散体。
【請求項３】
前記重合体は、構成モノマーとして更に重合性不飽和基およびポリオキシアルキレン基を有する化合物（Ｃ）（但し、前記ポリオキシアルキレンスチレン化プロペニルフェニルエーテルリン酸エステルおよび／またはそのアンモニウム塩（Ａ）は除く。）を含有する、請求項１又は２に記載の水分散体。
【請求項４】
重合性不飽和基およびポリオキシアルキレン基を有する化合物（Ｃ）（但し、前記ポリオキシアルキレンスチレン化プロペニルフェニルエーテルリン酸エステルおよび／またはそのアンモニウム塩（Ａ）は除く。）を反応性乳化剤として用いて、前記重合体を合成することにより得られる、請求項１〜３のいずれか１項に記載の水分散体。
【請求項５】
前記重合性不飽和基およびポリオキシアルキレン基を有する化合物（Ｃ）が、ＳＯ３Ｍ基（但し、Ｍは水素原子、アルカリ金属原子、アルカリ土類金属原子、アンモニウム、アルキルアンモニウムまたはアルカノールアンモニウムを表す。）を有する、請求項３又は４に記載の水分散体。
【請求項６】
ポリオキシアルキレンスチレン化プロペニルフェニルエーテル硫酸エステル塩、およびポリオキシアルキレンアルキルプロペニルフェニルエーテル硫酸エステル塩からなる群から選択される少なくとも１種の乳化剤を用いて、前記重合体を合成することにより得られる、請求項１又は２に記載の水分散体。
【請求項７】
金属用コーティング剤である、請求項１〜６のいずれか１項に記載の水分散体。
【請求項８】
請求項１〜７のいずれか１項に記載の水分散体を用いて得られる塗膜。
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
（Ａ）エポキシ樹脂、（Ｂ）活性エステル基を有する化合物、および、シリカを含有する樹脂組成物であって、
樹脂組成物中の前記（Ａ）エポキシ樹脂のエポキシ基の総量／前記（Ｂ）活性エステル基を有する化合物の活性エステル基の総量の比が０．２〜０．６であり、
前記（Ａ）エポキシ樹脂は、ビフェニルアラルキル型エポキシ樹脂と、ビスフェノールＡ型エポキシ樹脂およびビスフェノールＦ型エポキシ樹脂の少なくとも１種と、からなり、
前記（Ｂ）活性エステル基を有する化合物が、下記一般式（１）
2020090576.tif 000001
（式中、Ｘ１はベンゼン環またはナフタレン環を有する基であり、ｋは０または１を表し、ｎは繰り返し単位の平均で０．２５〜１．５である。）で表される化合物であり、
前記シリカの配合量は、樹脂組成物中の不揮発成分を１００質量％とした場合、６５質量％以上であることを特徴とする熱硬化性樹脂組成物。
【請求項２】
（Ａ）エポキシ樹脂、（Ｂ）活性エステル基を有する化合物、および、シリカを含有する樹脂組成物であって、
樹脂組成物中の前記（Ａ）エポキシ樹脂のエポキシ基の総量／前記（Ｂ）活性エステル基を有する化合物の活性エステル基の総量の比が０．２〜０．６であり、
前記（Ａ）エポキシ樹脂は、ビフェニルアラルキル型エポキシ樹脂と、ビスフェノールＡ型エポキシ樹脂およびビスフェノールＦ型エポキシ樹脂の少なくとも１種と、からなり、
前記（Ｂ）活性エステル基を有する化合物が、下記一般式（２）
2020090576.tif 000002
（式（２）中、Ｘ２はそれぞれ独立的に下記式（３）：
2020090576.tif 000003
で表される基または下記式（４）：
2020090576.tif 000004
で表される基であり、
ｍは１〜６の整数であり、ｎはそれぞれ独立的に１〜５の整数であり、ｑはそれぞれ独立的に１〜６の整数であり、式（３）中、ｋはそれぞれ独立的に１〜５の整数であり、式（４）中、Ｙは上記式（３）で表される基（ｋはそれぞれ独立的に１〜５の整数）であり、ｔはそれぞれ独立的に０〜５の整数である）で表される構造部位を有し、その両末端が一価のアリールオキシ基である樹脂構造を有する活性エステル樹脂であり、
前記シリカの配合量は、樹脂組成物中の不揮発成分を１００質量％とした場合、６５質量％以上であることを特徴とする熱硬化性樹脂組成物。
【請求項３】
前記シリカの配合量は、樹脂組成物中の不揮発成分を１００質量％とした場合、７０質量％以上であることを特徴とする請求項１または２記載の熱硬化性樹脂組成物。
【請求項４】
樹脂組成物中の前記（Ａ）エポキシ樹脂のエポキシ基の総量／前記（Ｂ）活性エステル基を有する化合物の活性エステル基の総量の比が０．２〜０．５であることを特徴とする請求項１〜３のいずれか１項記載の熱硬化性樹脂組成物。
【請求項５】
樹脂組成物中の前記（Ａ）エポキシ樹脂のエポキシ基の総量／前記（Ｂ）活性エステル基を有する化合物の活性エステル基の総量の比が０．２〜０．４であることを特徴とする請求項１〜４のいずれか１項記載の熱硬化性樹脂組成物。
【請求項６】
請求項１〜５のいずれか一項記載の熱硬化性樹脂組成物をフィルムに塗布、乾燥して得られる樹脂層を有することを特徴とするドライフィルム。
【請求項７】
請求項１〜５のいずれか一項記載の熱硬化性樹脂組成物をキャリア付き極薄銅箔に塗布、乾燥して得られる樹脂層を有することを特徴とする樹脂付き銅箔。
【請求項８】
請求項１〜５のいずれか一項に記載の熱硬化性樹脂組成物、請求項６記載のドライフィルムの樹脂層、または、請求項７記載の樹脂付き銅箔の樹脂層を硬化して得られることを特徴とする硬化物。
【請求項９】
請求項８記載の硬化物を有することを特徴とする電子部品。
【手続補正２】
【補正対象書類名】明細書
【補正対象項目名】０１１１
【補正方法】変更
【補正の内容】
【０１１１】
＜熱硬化性樹脂組成物の調製＞
下記表１〜４の実施例、参考例および比較例に示す種々の成分と共に表１〜４に示す割合（質量部）にて混錬混合し、硬化後フィルム作製用の熱硬化性樹脂組成物を調製した。なお、表中の数値は質量部（不揮発分換算）を示す。
【手続補正３】
【補正対象書類名】明細書
【補正対象項目名】０１１２
【補正方法】変更
【補正の内容】
【０１１２】
＜硬化後フィルムの作製＞
フィルムアプリケーターを用いて、熱硬化性樹脂組成物を実施例、参考例および比較例ごとに銅箔（古河電気工業社製Ｆ２−ＷＳ、１８μｍ厚）の光沢面上に塗布し、熱風循環式乾燥炉にて９０℃で１０分間乾燥後、続けて２００℃で６０分間硬化させた後、銅箔を剥離し、厚み約４０μｍの硬化後フィルム（硬化膜）を作製した。
【手続補正４】
【補正対象書類名】明細書
【補正対象項目名】０１１５
【補正方法】変更
【補正の内容】
【０１１５】
【表１】
2020090576.tif 000005
【手続補正５】
【補正対象書類名】明細書
【補正対象項目名】０１１７
【補正方法】変更
【補正の内容】
【０１１７】
【表２】
2020090576.tif 000006
【手続補正６】
【補正対象書類名】明細書
【補正対象項目名】０１１８
【補正方法】変更
【補正の内容】
【０１１８】
【表３】
2020090576.tif 000007
【手続補正７】
【補正対象書類名】明細書
【補正対象項目名】０１１９
【補正方法】変更
【補正の内容】
【０１１９】
【表４】
2020090576.tif 000008
＊１３：得られる硬化物が脆い為、強度不足により測定不可
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
ヘム結合性ドメインおよびFcドメインを含み、ヘム結合性ドメインがFcドメインにコンジュゲートされている、操作されたヘム結合性分子。
【請求項２】
前記ヘム結合性ドメインが、FcドメインのN末端である、請求項1記載の操作されたヘム結合性分子。
【請求項３】
前記ヘム結合性ドメインが、FcドメインのC末端である、請求項1記載の操作されたヘム結合性分子。
【請求項４】
検出可能な標識をさらに含む、請求項1〜3のいずれか一項記載の操作されたヘム結合性分子。
【請求項５】
微生物結合性ドメイン；リンカー；および／または基質結合性ドメインをさらに含み、基質結合性ドメインが任意でAKTを含む、請求項1〜4のいずれか一項記載の操作されたヘム結合性分子。
【請求項６】
前記微生物結合性ドメインが、
MBLおよびCRP
からなる群より選択される、請求項5記載の操作されたヘム結合性分子。
【請求項７】
前記ヘム結合性ドメインが、以下に対応する配列：
a.  SEQ ID NO: 1の残基24〜462、
b.  SEQ ID NO: 1の残基24〜256、
c.  SEQ ID NO: 1の残基27〜233、
d.  SEQ ID NO: 1の残基1〜233、
e.  SEQ ID NO: 1の残基27〜220、
f.  SEQ ID NO: 1の残基1〜220、
g.  SEQ ID NO: 1の残基27〜213、
h.  SEQ ID NO: 1の残基1〜213、
i.  SEQ ID NO: 1の残基27〜256、または
j.  SEQ ID NO: 1の残基1〜256、
を有するポリペプチドを含む、請求項1〜6のいずれか一項記載の操作されたヘム結合性分子。
【請求項８】
前記ヘム結合性ドメインが：
a.  SEQ ID NO: 2の配列を含むポリペプチドであるか、
b.  SEQ ID NO: 2の配列を有するポリペプチドであるか、
c.  SEQ ID NO: 2の残基27〜233に対応する配列を有するポリペプチドを含むか、
d.  SEQ ID NO: 2の残基1〜233に対応する配列を有するポリペプチドを含むか、
e.  SEQ ID NO: 2の残基27〜220に対応する配列を有するポリペプチドを含むか、
f.  SEQ ID NO: 2の残基1〜220に対応する配列を有するポリペプチドを含むか、
g.  SEQ ID NO: 2の残基27〜213に対応する配列を有するポリペプチドを含むか、
h.  SEQ ID NO: 2の残基1〜213に対応する配列を有するポリペプチドを含むか、
i.  SEQ ID NO: 2の残基220〜226に対応する残基が約1〜10アミノ酸長のポリペプチドリンカーで置き換えられている突然変異を含むか、または
j.  SEQ ID NO: 2の残基220〜226に対応する残基が配列GSGS（SEQ ID NO: 18）で置き換えられている突然変異を含む、
請求項1〜6のいずれか一項記載の操作されたヘム結合性分子。
【請求項９】
Fcドメインが、SEQ ID NO: 8、SEQ ID NO: 7、またはSEQ ID NO: 17の配列を有するポリペプチドである、請求項1〜8のいずれか一項記載の操作されたヘム結合性分子。
【請求項１０】
SEQ ID NO: 3、SEQ ID NO: 4、またはSEQ ID NO: 5の配列を有する、請求項1〜9のいずれか一項記載の操作されたヘム結合性分子。
【請求項１１】
横紋筋融解症または圧挫損傷の治療に使用するための、請求項1〜10のいずれか一項記載のヘム結合性分子、またはヘム結合性ドメインを含む分子。
【請求項１２】
対象の血液中の遊離ヘムまたはミオグロビンのレベルの減少に使用するための、請求項1〜10のいずれか一項記載のヘム結合性分子、またはヘム結合性ドメインを含む分子。
【請求項１３】
敗血症の治療に使用するための、請求項1〜10のいずれか一項記載のヘム結合性分子、またはヘム結合性ドメインを含む分子。
【請求項１４】
微生物感染、任意で細菌感染またはウイルス感染の治療に使用するための、請求項1〜10のいずれか一項記載のヘム結合性分子、またはヘム結合性ドメインを含む分子。
【請求項１５】
前記分子が、対象の血液と接触させられる、請求項11〜14のいずれか一項記載の分子。
【請求項１６】
前記血液が、接触させる工程の前に対象から取り出され、接触させる工程の後に対象へ戻される、対象の血液の一部分であり、接触させる工程が体外で行われる、請求項15記載の分子。
【請求項１７】
ヘム結合性ドメインを含む前記分子が、SEQ ID NO: 1、2、9、12、13、または16のいずれかの配列を有する、請求項11〜16のいずれか一項記載の分子。
【請求項１８】
ヘム結合性ドメインを含む前記分子が、ヘム結合性ドメインから本質的になる分子である、請求項11〜16のいずれか一項記載の分子。
【請求項１９】
ヘム結合性ドメインを含む前記分子が、ヘム結合性ドメインからなる分子である、請求項11〜16のいずれか一項記載の分子。
【請求項２０】
ヘム結合性ドメインを含む前記分子が、SEQ ID NO: 1〜2または9〜16のいずれかの配列を有する、請求項11〜16のいずれか一項記載の分子。
【請求項２１】
タンパク質の産生に適した条件下で請求項1〜10のいずれか一項記載の操作されたヘム結合性分子をコードする核酸を含む細胞を培養する工程；および
安定化ドメイン結合性試薬を用いたアフィニティー精製、イオン交換精製、またはサイズに基づく精製によって、該ヘム結合性分子を精製する工程
を含む、操作されたヘム結合性分子を産生する方法。
【請求項２２】
前記細胞が、
微生物細胞；哺乳動物細胞；昆虫細胞；および植物細胞
からなる群より選択される、請求項21記載の方法。
【請求項２３】
タンパク質の産生に適したインビトロ転写および／またはインビトロ翻訳条件下で請求項1〜10のいずれか一項記載の操作されたヘム結合性分子をコードする核酸を維持する工程；ならびに
安定化ドメイン結合性試薬を用いたアフィニティー精製、イオン交換精製、またはサイズに基づく精製によって、該ヘム結合性分子を精製する工程
を含む、操作されたヘム結合性分子を産生する方法。
【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
ビデオゲームの進行を制御する機能をサーバに実現させるためのビデオゲーム処理プログラムであって、
前記サーバに、
前記ビデオゲームに関する所定規則に従って、複数のユーザにより構成された複数のグループそれぞれにおける序列を作成する作成機能と、
前記序列に基づいて、各グループにおける等級を複数のユーザに設定する設定機能と、
前記等級に基づいて、前記複数のグループそれぞれとは少なくとも所属する一部のユーザが異なる新規グループを構成する構成機能とを実現させ、
前記構成機能では、複数のグル―プ間で前記等級により特定される複数のユーザを組み替えた結果となるように前記新規グループを構成する機能を実現させ、
前記構成機能では、前記グループを代表する複数のユーザを決定し、決定した複数のユーザに対して他のユーザを割り当てることで前記新規グループを構成する機能を
実現させるためのビデオゲーム処理プログラム。
【請求項２】
前記構成機能では、前記グループで上位の等級が設定された複数のユーザを、前記グループを代表する複数のユーザとして決定する機能を
実現させるための請求項１に記載のビデオゲーム処理プログラム。
【請求項３】
通信ネットワークと、サーバと、ユーザ端末とを備え、ビデオゲームの進行を制御するビデオゲーム処理システムであって、
前記ビデオゲームに関する所定規則に従って、複数のユーザにより構成された複数のグループそれぞれにおける序列を作成する作成手段と、
前記序列に基づいて、各グループにおける等級を複数のユーザに設定する設定手段と、
前記等級に基づいて、前記複数のグループそれぞれとは少なくとも所属する一部のユーザが異なる新規グループを構成する構成手段とを含み、
前記構成手段は、複数のグル―プ間で前記等級により特定される複数のユーザを組み替えた結果となるように前記新規グループを構成し、
前記構成手段は、前記グループを代表する複数のユーザを決定し、決定した複数のユーザに対して他のユーザを割り当てることで前記新規グループを構成する
ことを特徴とするビデオゲーム処理システム。
【請求項４】
ビデオゲームの進行を制御する機能をユーザ端末に実現させるためのビデオゲーム処理プログラムであって、
前記ユーザ端末に、
前記ビデオゲームに関する所定規則に従って、複数のユーザにより構成された複数のグループそれぞれにおける序列を作成する作成機能と、
前記序列に基づいて、各グループにおける等級を複数のユーザに設定する設定機能と、
前記等級に基づいて、前記複数のグループそれぞれとは少なくとも所属する一部のユーザが異なる新規グループを構成する構成機能とを実現させ、
前記構成機能では、複数のグル―プ間で前記等級により特定される複数のユーザを組み替えた結果となるように前記新規グループを構成する機能を実現させ、
前記構成機能では、前記グループを代表する複数のユーザを決定し、決定した複数のユーザに対して他のユーザを割り当てることで前記新規グループを構成する機能を
実現させるためのビデオゲーム処理プログラム。
【手続補正書】
【提出日】令和3年9月1日(2021.9.1)
【手続補正１】
【補正対象書類名】特許請求の範囲
【補正対象項目名】全文
【補正方法】変更
【補正の内容】
【特許請求の範囲】
【請求項１】
筆記用インクを収容した軸筒と、前記軸筒の一端に装着された筆記部とを有する筆記具において、
前記筆記部は、前記軸筒から筆記用インクを誘導して、該筆記用インクを筆記可能な筆記体と、当該筆記体を保持する保持体とを有しており、前記保持体は視認性を有する材料で形成し、前記筆記用インクは、熱変色性インクであると共に前記筆記体は気孔率６０％以上のナイロン樹脂で形成されていることを特徴とする筆記具。
【請求項２】
前記筆記用インクは、トリメチルグリシンと、ペンタエリスリトールを含んだことを特徴とする請求項１記載の筆記具。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
所定のデータプールに存在するデータを検索するための検索窓を表示させる対象のＷｅｂサイトの第１指定を受付ける第１受付手段と、
前記第１指定が受付けられた前記Ｗｅｂサイトを構成する１以上のＷｅｂページのうち、検索以外を目的とする内容のＷｅｂページであって、前記検索窓を表示させる対象の１以上のＷｅｂページの第２指定を受付ける第２受付手段と、
前記第２指定が受付けられた前記１以上のＷｅｂページ毎に、前記検索窓を表示させる位置の第３指定を受付ける第３受付手段と、
前記第２指定が受付けられた前記１以上のＷｅｂページ毎に、前記検索窓により検索されるデータの範囲の第４指定を受付ける第４受付手段と、
前記Ｗｅｂサイトにアクセスしてきたものに対して前記位置に前記検索窓を表示させるように、当該Ｗｅｂサイトを構築する構築手段と、
を備える情報処理システム。
【請求項２】
前記検索窓が表示された前記Ｗｅｂページの所定の位置に、前記第４受付手段により受付けられた前記検索されるデータの範囲を示す案内をさらに表示させる位置の第５指定を受付ける第５受付手段
をさらに備える、
請求項１に記載の情報処理システム。
【請求項３】
前記検索窓に入力された検索キーワードの入力履歴を、前記検索キーワードの入力を行った者を一意に識別可能な情報に対応付けて、履歴情報として管理する管理手段
をさらに備える、
請求項１又は２に記載の情報処理システム。
【請求項４】
情報処理システムが実行する情報処理方法において、
所定のデータプールに存在するデータを検索するための検索窓を表示させる対象のＷｅｂサイトの第１指定を受付ける第１受付ステップと、
前記第１指定が受付けられた前記Ｗｅｂサイトを構成する１以上のＷｅｂページのうち、検索以外を目的とする内容のＷｅｂページであって、前記検索窓を表示させる対象の１以上のＷｅｂページの第２指定を受付ける第２受付ステップと、
前記第２指定が受付けられた前記１以上のＷｅｂページ毎に、前記検索窓を表示させる位置の第３指定を受付ける第３受付ステップと、
前記第２指定が受付けられた前記１以上のＷｅｂページ毎に、前記検索窓により検索されるデータの範囲の第４指定を受付ける第４受付ステップと、
前記Ｗｅｂサイトにアクセスしてきたものに対して前記位置に前記検索窓を表示させるように、当該Ｗｅｂサイトを構築する構築ステップと、
を含む情報処理方法。
【請求項５】
コンピュータに、
所定のデータプールに存在するデータを検索するための検索窓を表示させる対象のＷｅｂサイトの第１指定を受付ける第１受付ステップと、
前記第１指定が受付けられた前記Ｗｅｂサイトを構成する１以上のＷｅｂページのうち、検索以外を目的とする内容のＷｅｂページであって、前記検索窓を表示させる対象の１以上のＷｅｂページの第２指定を受付ける第２受付ステップと、
前記第２指定が受付けられた前記１以上のＷｅｂページ毎に、前記検索窓を表示させる位置の第３指定を受付ける第３受付ステップと、
前記第２指定が受付けられた前記１以上のＷｅｂページ毎に、前記検索窓により検索されるデータの範囲の第４指定を受付ける第４受付ステップと、
前記Ｗｅｂサイトにアクセスしてきたものに対して前記位置に前記検索窓を表示させるように、当該Ｗｅｂサイトを構築する構築ステップと、
を含む制御処理を実行させるプログラム。
【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
第１リード、第２リード及びそれらと一体に形成された樹脂部を有する樹脂パッケージと、前記樹脂パッケージに形成された凹部に配置された発光素子とを備える発光装置であって、
前記第１リード及び前記第２リードのそれぞれは、金属部材と、前記金属部材の表面に形成されたメッキ層とを含み、
前記樹脂パッケージは、その外側面に、
前記第１リードが前記樹脂部から露出し、前記第２リードが前記樹脂部から露出しない領域であって、前記第１リードが前記樹脂部から露出した第１露出部分と前記樹脂部とが横方向において略同一面に形成された第１同一面領域と、
前記第１同一面領域と異なる領域であって、前記第１リードのメッキ層からなり、前記第１露出部分と横方向において隣り合う第１メッキ層領域と、
前記第１同一面領域の反対側に位置する領域であり、前記第２リードが前記樹脂部から露出し、前記第１リードが前記樹脂部から露出しない領域であって、前記第２リードが前記樹脂部から露出した第２露出部分と前記樹脂部とが横方向において略同一面に形成された第２同一面領域と、
前記第２同一面領域と異なる領域であって、前記第２リードのメッキ層からなり、前記第２露出部分と横方向において隣り合う第２メッキ層領域と、を含み、
前記第１露出部分は、前記第１リードの金属部材からなる領域を含み、
前記第２露出部分は、前記第２リードの金属部材からなる領域を含む、発光装置。
【請求項２】
前記第１リード及び前記第２リードを通る前記樹脂パッケージの外側面の全包囲周において、前記樹脂部が１／２以上にわたって設けられている、請求項１に記載の発光装置。
【請求項３】
前記第１リード及び前記第２リードのそれぞれは、少なくとも上面全面に前記メッキ層が形成されている、請求項１又は２に記載の発光装置。
【請求項４】
上面視において、前記第１メッキ層領域と連続する前記第１リードの上面の一部と、前記第２メッキ層領域と連続する前記第２リードの上面の一部とは、前記樹脂部から突出している、請求項１〜３のいずれか１項に記載の発光装置。
【請求項５】
前記第１リード及び前記第２リードのそれぞれは、上面及び下面を通る一の断面において段差又は凹凸が形成されている、請求項１〜４のいずれか１項に記載の発光装置。
【請求項６】
前記第１リード及び前記第２リードのそれぞれは、前記樹脂パッケージの外底面において前記樹脂部から露出している、請求項１〜５のいずれか１項に記載の発光装置。
【請求項７】
前記第１リードの一部及び前記第２リードの一部は、前記凹部の内底面において前記樹脂部から露出しており、
前記発光素子は、前記凹部の内底面において、前記第１リード及び前記第２リードの少なくとも一方に配置されている、請求項１〜６のいずれか１項に記載の発光装置。
【請求項８】
前記樹脂部は、光反射性物質を含有する、請求項１〜７のいずれか１項に記載の発光装置。
【請求項９】
前記光反射性物質は、酸化チタンである、請求項８に記載の発光装置。
【請求項１０】
前記凹部内において前記発光素子を被覆する封止部材をさらに備える、請求項１〜９のいずれか１項に記載の発光装置。
【手続補正書】
【提出日】令和3年9月10日(2021.9.10)
【手続補正１】
【補正対象書類名】明細書
【補正対象項目名】発明の名称
【補正方法】変更
【補正の内容】
【発明の名称】カメラモジュール、及び、電子機器
【手続補正２】
【補正対象書類名】特許請求の範囲
【補正対象項目名】全文
【補正方法】変更
【補正の内容】
【特許請求の範囲】
【請求項１】
イメージセンサチップと、
前記イメージセンサチップの受光面側の周辺領域に電気的に接続されたワイヤと、
前記イメージセンサチップの受光面側に配置されたレンズと、
前記レンズを固定するレンズカバーと、を有するカメラモジュールであって、
前記イメージセンサチップは、
マイクロレンズと、
カラーフィルタと、
タングステンを有する遮光層と、
絶縁層と、
光電変換素子と、
チャネル形成領域にシリコンを有する第１のトランジスタと、
チャネル形成領域にシリコンを有する第２のトランジスタと、
銅を有する第１の金属部と、
銅を有する第２の金属部と、
チャネル形成領域にシリコンを有する第３のトランジスタと、
チャネル形成領域にシリコンを有する第４のトランジスタと、を有し、
前記第１の金属部は、前記第１の金属部の下層に配置された前記第２の金属部と接合されており、
前記第１の金属部の上層に、前記第１のトランジスタと前記第２のトランジスタとが配置され、
前記第１の金属部の上層に、前記光電変換素子が配置され、
前記第２の金属部の下層に、前記第３のトランジスタと前記第４のトランジスタとが配置され、
前記光電変換素子の上方に、前記絶縁層が配置され、
前記絶縁層の上方に、前記遮光層が配置され、
前記遮光層の上方に、前記カラーフィルタが配置され、
前記カラーフィルタの上方に前記マイクロレンズが配置され、
前記第１のトランジスタと前記第２のトランジスタとは、ソース及びドレインの一方が一体化した共有領域を有し、
前記共有領域は、ＦＤノードとして機能し、且つ、前記第１の金属部と前記第２の金属部との接合領域と重なりを有するように配置され、
前記第１のトランジスタのゲートは、第１の配線と電気的に接続され、
前記第１のトランジスタは、前記第１の配線の信号に従って、前記光電変換素子において発生した電荷を前記ＦＤノードに転送する機能を有し、
前記光電変換素子のアノードは、受光面側に配置され、且つ、受光面側において凹んだ領域を有し、
前記光電変換素子のアノードは、前記凹んだ領域を介して、前記第１の配線と同層に配置される第２の配線と電気的に接続される、カメラモジュール。
【請求項２】
イメージセンサチップと、
前記イメージセンサチップの受光面側の周辺領域に電気的に接続されたワイヤと、
前記イメージセンサチップの受光面側に配置されたレンズと、
前記レンズを固定するレンズカバーと、を有するカメラモジュールであって、
前記イメージセンサチップは、
マイクロレンズと、
カラーフィルタと、
タングステンを有する遮光層と、
絶縁層と、
光電変換素子と、
チャネル形成領域にシリコンを有する第１のトランジスタと、
チャネル形成領域にシリコンを有する第２のトランジスタと、
銅を有する第１の金属部と、
銅を有する第２の金属部と、
チャネル形成領域にシリコンを有する第３のトランジスタと、
チャネル形成領域にシリコンを有する第４のトランジスタと、を有し、
前記第１の金属部は、前記第１の金属部の下層に配置された前記第２の金属部と接合されており、
前記第１の金属部の上層に、前記第１のトランジスタと前記第２のトランジスタとが配置され、
前記第１の金属部の上層に、前記光電変換素子が配置され、
前記第２の金属部の下層に、前記第３のトランジスタと前記第４のトランジスタとが配置され、
前記光電変換素子の上方に、前記絶縁層が配置され、
前記絶縁層の上方に、前記遮光層が配置され、
前記遮光層の上方に、前記カラーフィルタが配置され、
前記カラーフィルタの上方に前記マイクロレンズが配置され、
前記第１のトランジスタと前記第２のトランジスタとは、ソース及びドレインの一方が一体化した共有領域を有し、
前記共有領域は、ＦＤノードとして機能し、且つ、前記第１の金属部と前記第２の金属部との接合領域と重なりを有するように配置され、
前記第１のトランジスタのゲートは、第１の配線と電気的に接続され、
前記第１のトランジスタは、前記第１の配線の信号に従って、前記光電変換素子において発生した電荷を前記ＦＤノードに転送する機能を有し、
前記光電変換素子のアノードは、受光面側に配置され、
前記光電変換素子のアノードは、前記第１の配線と同層に配置される第２の配線と電気的に接続される、カメラモジュール。
【請求項３】
請求項１または請求項２において、
前記ＦＤノードに電気的に接続された容量を有する、カメラモジュール。
【請求項４】
請求項１乃至請求項３のいずれか一に記載の前記カメラモジュールを有する電子機器。
【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
ファイルの格納場所および当該ファイルのファイル名がボタンに対応づけて登録されていないことを通知する通知手段と、
ユーザにより設定されたファイルの格納場所および当該ファイルのファイル名をボタンに対応づけて登録する登録手段と、
前記登録手段により前記ファイルの格納場所および前記ファイルのファイル名と対応づけて登録された前記ボタンが選択されたことに基づき、前記ファイルの格納場所および前記ファイル名に対応する前記ファイルを取得する取得手段と、を有することを特徴とする画像形成装置。
【請求項２】
前記取得手段が取得した前記ファイルの情報に基づく画像を形成する画像形成手段と、を有することを特徴とする請求項１に記載の画像形成装置。
【請求項３】
前記登録手段は、前記ファイルの格納場所および当該ファイルのファイル名と前記ファイルに基づく画像を形成する際に使われる印刷設定を前記ボタンに対応づけて登録することを特徴とする請求項１または２に記載の画像形成装置。
【請求項４】
前記通知手段は、所定のユーザ操作に基づき前記通知を行うことを特徴とする請求項１乃至３のいずれか一項に記載の画像形成装置。
【請求項５】
前記登録手段は、ネットワークを介して受信したユーザ指示に基づき前記ファイルの格納場所および当該ファイルのファイル名を前記ボタンに対応付けて登録することを特徴とする請求項１乃至４のいずれか一項に記載の画像形成装置。
【請求項６】
前記ファイルの格納場所は、ユーザにより設定された前記ファイルのファイルパスであることを特徴とする請求項１乃至５のいずれか一項に記載の画像形成装置。
【請求項７】
前記ファイルの格納場所は、外部の装置における前記ファイルの格納場所であることを特徴とする請求項１乃至６のいずれか一項に記載の画像形成装置。
【請求項８】
ファイルの格納場所および当該ファイルのファイル名がボタンに対応づけて登録されていないことに基づき、所定の情報を通知する通知手段と、
ユーザにより設定されたファイルの格納場所および当該ファイルのファイル名をボタンに対応づけて登録する登録手段と、
前記登録手段により前記ファイルの格納場所および前記ファイル名と対応づけて登録された前記ボタンが選択されたことに基づき、前記ファイルの格納場所および前記ファイル名に対応する前記ファイルを取得する取得手段と、を有することを特徴とする画像形成装置。
【請求項９】
前記取得手段が取得した前記ファイルに基づく画像を形成する画像形成手段をさらに有することを特徴とする請求項８に記載の画像形成装置。
【請求項１０】
前記登録手段は、前記ファイルの格納場所および当該ファイルのファイル名と前記ファイルに基づく画像を形成する際に使われる印刷設定を前記ボタンに対応づけて登録することを特徴とする請求項８または９に記載の画像形成装置。
【請求項１１】
前記所定の通知は、ファイルの格納場所および当該ファイルのファイル名がボタンに対応づけて登録されていないことの通知であることを特徴とする請求項８乃至１０のいずれか一項に記載の画像形成装置。
【請求項１２】
ファイルの格納場所および当該ファイルに基づく印刷に用いられる印刷設定がボタンに対応付けて登録されていないことに基づき、所定の情報を通知する通知手段と、
ファイルの格納場所および前記ファイルに基づく印刷に用いられる印刷設定をボタンに対応づけて登録する登録手段と、
前記登録手段により前記ファイルの格納場所及び前記印刷設定に対応付けて登録された前記ボタンが選択されたことに基づき、前記ファイルの格納場所および前記印刷設定に対応する前記ファイルを取得する取得手段と、
前記取得手段が取得した前記ファイルと選択された前記ボタンに対応づけて登録された前記印刷設定に基づき画像形成処理を行う画像形成手段と、を有することを特徴とする画像形成装置。
【請求項１３】
前記登録手段は、前記ボタンに前記ファイルのファイル名を対応づけて登録することを特徴とする請求項１２に記載の画像形成装置。
【請求項１４】
前記所定の情報は、ファイルの格納場所および当該ファイルに基づく印刷に用いられる印刷設定がボタンに対応付けて登録されていないことを示す情報であることを特徴とする請求項１２または１３に記載の画像形成装置。
【請求項１５】
ファイルの格納場所および当該ファイルのファイル名がボタンに対応づけて登録されていないことを通知する通知工程と、
ユーザにより設定されたファイルの格納場所および当該ファイルのファイル名をボタンに対応づけて登録する登録工程と、
前記登録工程において前記ファイルの格納場所および前記ファイルのファイル名と対応づけて登録された前記ボタンが選択されたことに基づき、前記ファイルの格納場所および前記ファイル名に対応する前記ファイルを取得する取得工程と、を有することを特徴とする画像形成装置の制御方法。
【請求項１６】
ファイルの格納場所および当該ファイルのファイル名がボタンに対応づけて登録されていないことを通知する通知工程と、
ユーザにより設定されたファイルの格納場所および当該ファイルのファイル名をボタンに対応づけて登録する登録工程と、
前記登録工程において前記ファイルの格納場所および前記ファイルのファイル名と対応づけて登録された前記ボタンが選択されたことに基づき、前記ファイルの格納場所および前記ファイル名に対応する前記ファイルを取得する取得工程と、コンピュータに実行させるためのコンピュータプログラム。
【手続補正２】
【補正対象書類名】明細書
【補正対象項目名】０００７
【補正方法】変更
【補正の内容】
【０００７】
本発明に記載の画像形成装置は、ファイルの格納場所および当該ファイルのファイル名がボタンに対応づけて登録されていないことを通知する通知手段と、ユーザにより設定されたファイルの格納場所および当該ファイルのファイル名をボタンに対応づけて登録する登録手段と、前記登録手段により前記ファイルの格納場所および前記ファイルのファイル名と対応づけて登録された前記ボタンが選択されたことに基づき、前記ファイルの格納場所および前記ファイル名に対応する前記ファイルを取得する取得手段と、を有することを特徴とする。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
表面上に光を投影するためのシステムであって、
前記表面上へ光を投影するように構成された複数のプロジェクタを含むプロジェクタアセンブリであって、第１のプロジェクタからの第１の投影された光が、第２のプロジェクタからの第２の投影された光と少なくとも部分的に重なり、重なり領域をもたらす、プロジェクタアセンブリと、
前記重なり領域において、光ピクセルの存否を検出するように構成されたセンサアセンブリと、
前記重なり領域における検出された光の存否に少なくとも部分的に基づいて、前記プロジェクタアセンブリの照度特性または色特性の少なくとも１つを調整するように構成されたプロセッサとを含む、システム。
【請求項２】
前記センサアセンブリは、カメラ、光センサの線形アレイ、又はフォトダイオードの少なくとも１つを含む、請求項１に記載のシステム。
【請求項３】
前記センサアセンブリは、赤外線、紫外線、又は可視光を検出するように構成される、請求項１又は２に記載のシステム。
【請求項４】
前記センサアセンブリは、３次元形状を検出するように構成されたカメラを含む、請求項１に記載のシステム。
【請求項５】
前記センサアセンブリは、色情報、照度情報、又は空間情報の少なくとも１つを検出するように構成される、請求項２に記載のシステム。
【請求項６】
前記表面は、ディスプレイ表面またはスクリーンの少なくとも１つを含む、請求項１に記載のシステム。
【請求項７】
カスタマイズされたバッフル、勾配濃度フィルタ、又はレークの少なくとも１つを更に含む、請求項１に記載のシステム。
【請求項８】
前記プロセッサは、チップとして実現されたピクセル補正装置を含み、前記ピクセル補正装置は、
前記検出された光ピクセルと前記センサアセンブリとの間の第１のマッピングを生成し、
少なくとも１つの色、照度、又は位置に関して、前記表面と前記光センサアセンブリとの間の第２のマッピングを生成し、
前記検出された光ピクセルと前記表面との間の第３のマッピングを生成するように構成される、請求項１に記載のシステム。
【請求項９】
前記プロセッサは、前記プロジェクタアセンブリに対する入力信号の変換として定義されるピクセル補正機能を生成するように更に構成され、前記ピクセル補正機能は、前記入力信号の色、照度、ワーピング、又はリサンプリングの少なくとも１つを変換する、請求項８に記載のシステム。
【請求項１０】
前記ピクセル補正機能は、前記入力信号の赤、緑、及び青のピクセル照度を変換する、請求項９に記載のシステム。
【請求項１１】
前記ピクセル補正機能は、前記入力信号の各ピクセルの照度の乗数を変換する、請求項９に記載のシステム。
【請求項１２】
前記プロセッサは、
前記検出された光ピクセルと前記センサアセンブリとの間の第１のマッピングを生成し、
前記検出された光ピクセルと前記センサアセンブリとの間の前記第１のマッピングに基づいて、表示画質補正機能を生成するように構成される、請求項１に記載のシステム。
【請求項１３】
前記第１の投影された光が第１の光パターンを含み、前記第２の投影された光が第２の光パターンを含む、請求項１に記載のシステム。
【請求項１４】
前記複数のプロジェクタが前記表面上へ紫外線を投影するように構成される、請求項１に記載のシステム。
【請求項１５】
表面上に光を投影するためのシステムであって、
前記表面上へ紫外線を投影するように構成された複数のプロジェクタを含むプロジェクタアセンブリであって、第１のプロジェクタからの第１の投影された光が、第２のプロジェクタからの第２の投影された光と少なくとも部分的に重なり、重なり領域をもたらす、プロジェクタアセンブリと、
前記重なり領域において、紫外線光ピクセルの存否を検出するように構成されたセンサアセンブリと、
前記プロジェクタアセンブリに対する入力信号の変換として定義されるピクセル補正機能を生成するように構成されたプロセッサとを含み、前記ピクセル補正機能は、前記入力信号の色、照度、ワーピング、又はリサンプリングの少なくとも１つを変換する、システム。
【請求項１６】
方法であって、
プロジェクタアセンブリの第１のプロジェクタを用いて、第１のＵＶ光パターンを表面上に投影し、
前記プロジェクタアセンブリの第２のプロジェクタを用いて、第２のＵＶ光パターンを前記表面上に投影し、その結果、前記第２のＵＶ光パターンが前記第１のＵＶ光パターンと少なくとも部分的に重なり、それにより重なり領域が画定され、
前記表面上のＵＶ光ピクセルの存否を検出し、
前記プロジェクタアセンブリに対する入力信号の変換として定義されるピクセル補正機能を生成することを含み、前記ピクセル補正機能は、前記入力信号の色、照度、ワーピング、又はリサンプリングの少なくとも１つを変換する、方法。